Podtech/llm-jp-corpus-v4-ja_patent huggingface dataset:
(57)【要約】      （修正有）【課題】一定の大きさの圧縮袋に、複数の衣類等を均等な厚さで挿入できるトレイを提供する。【解決手段】板状の素材からなる底部１と底部と折り目３でつながる同じく板状の素材からなる側部２で構成されるトレイであり、圧縮袋４に挿入するときに圧縮袋を傷つけないよう、底部と側部の角に丸みをもたせた。圧縮袋の幅より若干狭い幅を持つ本トレイに、均等な厚さとなるよう折りたたんで重ねた衣類等５，６，７を載せ、折り目３で側部２を上方に持ち上げて圧縮袋に挿入する。【選択図】図４
0003197191.tif 000002
【実用新案登録請求の範囲】
【請求項１】
一定の大きさの圧縮袋の幅より若干狭い幅を持つトレイで、その上に載せた折りたたんだ衣類等と共に圧縮袋に挿入しやすくするための折り線を両側に設け、圧縮袋を傷つけないよう各部の角に丸みを持たせたトレイ。
【考案の詳細な説明】
【技術分野】
【０００１】
本考案は、衣類等圧縮袋（以下、「圧縮袋」と略す。）への多様な形状・大きさの衣類等を挿入することを容易にするトレイに関する。
【背景技術】
【０００２】
近年、住宅おける収納空間の減少に伴い、かさばる衣類を圧縮して収納できる、軟質プラスチックを使用した圧縮袋（特許文献１参照。なお、この引用は一般的な圧縮袋の形状を示すために行っている。）が流通しており、多様な形状・大きさの衣類等を収納するために多様なサイズが用意されている
【先行技術文献】
【特許文献】
【０００３】
【特許文献１】特許公開２０１３−１６６５９６
【考案の概要】
【考案が解決しようとする課題】
【０００４】
多様な形状・大きさの衣類等をそれぞれに対応したサイズの圧縮袋に収納した場合、サイズが各種あることにより、これらの複数の圧縮袋を一定の収納空間に収納するときに不便が生じる。
【０００５】
しかしながら、一定の収納空間に効率的に圧縮袋を収納するために、一定の大きめのサイズの複数の圧縮袋に多様な形状・大きさの衣類等をきちんとたたんで収納しようとしても、挿入時に型崩れを起こして、圧縮時に均等な厚さにならず、このようにして衣類等を収納した圧縮袋を収納空間に収納するときに不便が生じる。
【課題を解決するための手段】
【０００６】
上記不便を解消するために、本考案は、折りたたんで均等な厚さになるように本考案の上に重ねて並べた複数の多様な衣類等とともに、一定の大きめのサイズの圧縮袋に容易に挿入できる大きさ・形状を持つ。
【考案の効果】
【０００７】
本考案を使用して上記手段をとることにより、大量の衣類等を、一定の大きめのサイズの複数の圧縮袋それぞれに均等な厚さで収納することができ、それらの圧縮袋を収納空間に効率的に収納することができる。
【図面の簡単な説明】
【０００８】
【図１】Ａは平らに伸ばした状態の本考案１，２，３の平面図、Ｂはその断面図である。
【図２】Ａは側部２が上方に折れ曲がった状態の本考案を表す平面図、Ｂはその断面図である。
【図３】Ａは、図２の状態の本考案１，２，３に多様な形状・大きさの衣類等５，６，７（図の複雑化を避けるため、例として５ジャケット、６スラックス、７バスタオルの３点のみを図示するが、挿入する衣類等の形状・数量は、圧縮袋４の容量の範囲内で任意とする。）をたたんで載せた状態を表す平面図、Ｂはその断面図である。
【図４】Ａは、図３の状態の本考案１，２，３および衣類等５，６，７を圧縮袋４に挿入した状態を表す平面図、Ｂはその断面図である。
【考案を実施するための形態】
【０００９】
本考案実施形態を図に沿って説明する。
【００１０】
本考案は図１Ａに表されるように、板状の素材からなる底部１と、その底部１と折り目３でつながる同じく板状の素材からなる側部２で構成され、底部１と側部２の角は、圧縮袋に挿入するときに圧縮袋４を傷つけないように丸みをもたせるものとする。
【００１１】
なお、本考案の幅は、定型の圧縮袋に衣類等とともに挿入できるよう、定型の圧縮袋の幅よりやや狭いものとし、板状の素材は平滑な表面をもつものとする。
【００１２】
側部２は、図２に表されるように、折り目３を介して上方に折れ曲がるものとする。
【００１３】
図３は、本考案上に、圧縮袋に挿入できるようにたたまれた多様な形状・大きさの衣類等を並べた状態を表すもので、この状態の本考案および衣類等を共に圧縮袋に挿入する。
【００１４】
図４は、図３に現れる状態の本考案と衣類等を圧縮袋４に挿入した状態を表すものであり、この状態から本考案のみを圧縮袋４から抜き去って衣類等の圧縮を行う。
【００１５】
なお、本考案の材質に一定の強度を持たせ、長さを定型の圧縮袋４に衣類とともに完全に挿入できる長さとした場合、本考案と衣類等を挿入した圧縮袋４を圧縮したうえで、収納空間に立てて収納することも可能となる。
【符号の説明】
【００１６】
１  底部
２  側部
３  折り目
４  圧縮袋
５  ジャケット
６  スラックス
７  バスタオル
【図１】
0003197191.tif 000003
【図２】
0003197191.tif 000004
【図３】
0003197191.tif 000005
【図４】
0003197191.tif 000006
【手続補正書】
【提出日】平成26年11月26日(2014.11.26)
【手続補正１】
【補正対象書類名】実用新案登録請求の範囲
【補正対象項目名】全文
【補正方法】変更
【補正の内容】
【実用新案登録請求の範囲】
【請求項１】
図１Ａに表されるような、板状の素材からなる底部１とその底部１と折り目３でつながる同じく板状の素材からなる側部２で構成されるトレイで、圧縮袋４に挿入するときに圧縮袋を傷つけないよう、底部１と側部２の角に丸みをもたせた衣類等圧縮袋用トレイ。
【手続補正書】
【提出日】平成27年3月1日(2015.3.1)
【手続補正１】
【補正対象書類名】実用新案登録請求の範囲
【補正対象項目名】全文
【補正方法】変更
【補正の内容】
【実用新案登録請求の範囲】
【請求項１】
板状の素材からなる底部（１）とその底部（１）と折り目（３）でつながる同じく板状の素材からなる側部（２）で構成されるトレイで、圧縮袋（４）に挿入するときに圧縮袋を傷つけないよう、底部（１）と側部（２）の角に丸みをもたせた衣類等圧縮袋用トレイ。
(57)【要約】      （修正有）【課題】同等クラス上のアタッチメントを取付けることができ、工事現場でのコンクリートを今まで以上に効率よく破砕することができる高強度コンクリート解体用油圧ショベルを提供する。【解決手段】同クラスの標準油圧ショベルに比べ、アーム３、ブーム６、本体部分の鉄板を厚くして強硬に作り、アーム先端のピン１及びバケットリンク２、バケットシリンダ４、アームシリンダ５、ブームシリンダ７は標準仕様に比べ、大口径のものを取付ける。油圧ショベルのエンジン後部にはウェート８を積みバランスをとる。車体全体の重量が重くなるのを受け止めるトラベリングフレーム９も補強する。【選択図】図２
0003197197.tif 000002
【実用新案登録請求の範囲】
【請求項１】
当該油圧ショベルはブーム、アームの各々を駆動するブームシリンダ、アームシリンダ及びバケットシリンダを通常クラス上のものを取付けた高強度コンクリート解体用油圧ショベル。
【考案の詳細な説明】
【技術分野】
【０００１】  本考案は、高強度コンクリート解体用油圧ショベルである。
【背景技術】
【０００２】  建物解体現場において、コンクリートを破砕するには通常の油圧ショベルの規定にあったアタッチメント（ブレーカーや破砕機）を取り付けて作業を行っていた。
【考案の概要】
【考案が解決しようとする課題】
【０００３】  一般的油圧ショベルは土木作業において、多様に作業ができるように作れており、また解体用油圧ショベルにおいても同様であった。
ビル解体工事等になるとコンクリートを破砕工事が中心となるが、通常油圧ショベルの規定あったアタッチメントを取付けなければならなかった。
そのため破砕に時間をかかった。
また油圧ショベルに加重な力がかかるため故障も多く、本体バランスも悪くなり転倒事故を起した。
本考案は現場工事においてコンクリートを破砕することを前提とする油圧ショベルで、同クラスの標準油圧ショベルに比べ、アーム、ブーム、本体部分も鉄板を厚く、強硬に作られている。
【課題を解決するための手段】
【０００４】  本考案は現場工事においてコンクリートを破砕することを前提とする油圧ショベルで、同クラスの標準油圧ショベルに比べ、アーム、ブーム、本体部分も鉄板を厚く、強硬に作られ、クラス上のアタッチメントを取付けることができる。
アーム先端のピン及びバケットリンク、バケットシリンダ、アームシリンダ、ブームシリンダは標準仕様に比べ、大口径のシリンダを取付ける。それに合わせアーム、ブームの鉄板部分を厚くする。
油圧ショベルのエンジン後部にはウェートを積みバランスをとる。車体全体の重量が重くなるのを受け止めるトラベリングフレームを補強する。
【考案の効果】
【０００５】  本考案は狭い解体工事現場でもクラス以上の大型アタッチメントを油ショベルに取付けることができ、作業効率があげることができる。
【図面の簡単な説明】
【０００６】
【図１】油圧ショベルの全体側面図
【図２】アタッチメントを取付けた油圧ショベルの側面説明図
【考案を実施するための形態】
図１油圧ショベル本体１１から接続されたブーム６を上下させるブームシリンダ７、アーム３を上下させるアームシリンダ５、アタッチメントを上下させるバケットシリンダ４をクラス上のシリンダ（大口径シリンダ）を取付けた。
クラス上のアタッチメント１０を取付れられるようにピン１、バケットリンク２を大口径にし、アーム３、ブーム６も鉄板を厚くするなど補強した。その分バランスが悪くなるためウェート８を追加し、重心が１２のなるようにし、全体重量が重くなるためトラベリングフレーム９を厚く補強した。
【符号の説明】
【００１０】１  ピン
２  バケットリンク
３  アーム
４  バケットシリンダ
５  アームシリンダ
６  ブーム
７  ブームシリンダ
８  ウェート
９  トラベリングフレーム
１０  アタッチメント
１１  油圧ショベル本体
１２  全油圧ショベル  重量バランスの中心線
【図１】
0003197197.tif 000003
【図２】
0003197197.tif 000004
【手続補正書】
【提出日】平成27年2月5日(2015.2.5)
【手続補正１】
【補正対象書類名】実用新案登録請求の範囲
【補正対象項目名】全文
【補正方法】変更
【補正の内容】
【実用新案登録請求の範囲】
【請求項１】
高強度コンクリート解体用油圧ショベルであって当該油圧ショベルはブーム、アームの各々を駆動するブームシリンダ、アームシリンダ及びバケットシリンダをより大型の油圧ショベルのシリンダにすると共にブーム、アームを補強したことを特徴とする高強度コンクリート解体用油圧ショベル。
(57)【要約】      （修正有）【課題】わずかな距離であればクレーンを使用せずに簡易且つ安全に移動させることができる屋外設置ハウス用フレーム及びこのフレームを使用した屋外設置ハウスを提供する。【解決手段】屋外設置用ハウス用フレームは、前後左右にパイプ、前部にパイプを備えており、これらにタイヤアッセンブリ３及び方向転換用工具４を装着する。パイプにタイヤアッセンブリ３の車軸３−ｂを装着するだけで前進後進が可能となるので、わずかな距離であればクレーンを使用せずに簡易且つ安全に屋外設置ハウスを移動できる。また、ジャッキを使用してフレームの前部又は後部を持ち上げることでタイヤアッセンブリ３を簡単に脱着できる。方向転換する場合には、前部又は後部のパイプに方向転換用工具４を装着して地面から浮かせるだけでよい。また、タイヤ３−ａが装着されているので、クレーンを使用せずに、車載専用車で運搬可能となり、積み込みを安全に行える。【選択図】図２
0003197198.tif 000002
【実用新案登録請求の範囲】
【請求項１】
タイヤアッセンブリの車軸をパイプに装着することで前進後進を可能としたことを特徴とする屋外設置ハウス用フレーム。
【請求項２】
前部又は後部のパイプに方向転換用工具を装着し、前部又は後部を地面から浮かせることで左右への方向転換を可能としたことを特徴とする請求項1に記載の屋外設置ハウス用フレーム。
【請求項３】
請求項1又は2に記載の屋外設置ハウス用フレームを備えることを特徴とする屋外設置ハウス。
【考案の詳細な説明】
【技術分野】
【０００１】
本考案は、タイヤで移動可能な屋外設置ハウス用フレーム及びこのフレームを使用した屋外設置ハウスに関する。
【背景技術】
【０００２】
従来、屋外設置ハウス置はクレーンで吊り上げてトラックの荷台に乗せ、設置場所までトラックで移動した後、再びクレーンで吊り上げて所定の場所に設置している。
【先行技術文献】
【特許文献】
【０００３】
【特許文献１】特開2004−183398号公報
【考案の概要】
【考案が解決しようとする課題】
【０００４】
従来の屋外設置ハウスはクレーンでしか移動できない為、例えば最初の設置場所からわずかな距離を移動させようとした場合でも再びクレーンを使用しなければならず、作業が煩雑という問題があった。
また、一般的に吊りフックはハウスの上部に設置されており、クレーンの吊り具を装着するために作業者が上部まで登らなければならず、又クレーンを慎重に操作しなければならず危険が伴うという問題があった。
【０００５】
本考案では、このような問題を考慮し、わずかな距離であればクレーンを使用せずに簡易且つ安全に移動させることができる屋外設置ハウス用フレーム及びこのフレームを使用した屋外設置ハウスを提供することを目的とする。
【課題を解決するための手段】
【０００６】
本考案の屋外設置ハウス用フレームは、タイヤアッセンブリの車軸をパイプに装着することで前進後進を可能としたことを特徴とする。
また、前部又は後部のパイプに方向転換用工具を装着し、前部又は後部を地面から浮かせることで左右への方向転換を可能としたことを特徴とする。
本考案の屋外設置ハウスは、上記屋外設置ハウス用フレームを備えることを特徴とする。
【考案の効果】
【０００７】
本考案の屋外設置ハウス用フレームは、パイプにタイヤアッセンブリの車軸を装着するだけで前進後進が可能となるので、わずかな距離であればクレーンを使用せずに簡易且つ安全に屋外設置ハウスを移動できる。
また、ジャッキを使用してフレームの前部又は後部を持ち上げることでタイヤアッセンブリを簡単に脱着できる。
方向転換する場合には、前部又は後部のパイプに方向転換用工具を装着して地面から浮かせるだけでよい。
また、タイヤが装着されているので、クレーンを使用しなくても自動車運搬用として広く使用されている荷台スライド式車輌の荷台への積み込みを安全に行える。
【図面の簡単な説明】
【０００８】
【図１】本考案の屋外設置ハウス用フレームの平面図。
【図２】タイヤ及び方向転換用工具装着時の平面図。
【図３】タイヤ及び方向転換用工具装着時の側面図。
【図４】屋外設置ハウス用フレームの装着実施例を示す図。
【考案を実施するための形態】
【０００９】
本考案の屋外設置ハウス用フレーム及び屋外設置ハウスの実施の形態を図１〜図4により詳細に説明する。
本考案の屋外設置ハウス用フレーム1にはパイプ1-a及びパイプ1-bが固定されている。
パイプ1-aにはタイヤアッセンブリ3の車軸3-bを装着し、ピン2で固定する。また、パイプ1-bには方向転換用工具4を挿入し、ピン2で固定する。この作業は自動車のタイヤ交換と同じ要領でフレーム1にジャッキをかけフレーム１をタイヤが装着できる高さまで持上げて固定して行えばよい。タイヤアッセンブリ3の取り外し作業は装着と逆の手順で行えばよい。
トレーラーなどの移動時に使用されている手押し式でタイヤ付の牽引工具（図示略）を方向転換用工具4に装着することでハウスを牽引して移動させることができると共にハウスの前部を地面から浮かせることで左右へ方向転換させることもできる。
なお、方向転換用工具4は屋外設置ハウス用フレーム1の後部に装着してもよい。
【産業上の利用可能性】
【００１０】
わずかな距離であればクレーンを使用せずに簡易且つ安全に移動させることができる屋外設置ハウス用フレーム及びこのフレームを使用した屋外設置ハウスに関するものであり、産業上の利用可能性を有する。
【符号の説明】
【００１１】
1 フレーム
1-a パイプ
1-bパイプ
2 ピン
3 タイヤアッセンブリ
3-a タイヤ
3-b 車軸
4 方向転換用工具
5 屋外設置ハウス
【図１】
0003197198.tif 000003
【図２】
0003197198.tif 000004
【図３】
0003197198.tif 000005
【図４】
0003197198.tif 000006
【手続補正書】
【提出日】平成27年2月25日(2015.2.25)
【手続補正１】
【補正対象書類名】実用新案登録請求の範囲
【補正対象項目名】全文
【補正方法】変更
【補正の内容】
【実用新案登録請求の範囲】
【請求項１】
タイヤアッセンブリの車軸を、フレーム本体に左右方向にのびるように固定されているパイプに装着することで前進後進を可能としたことを特徴とする屋外設置ハウス用フレーム。
【請求項２】
フレーム本体の前部又は後部に固定されているパイプに方向転換用工具を装着し、前部又は後部を地面から浮かせることで左右への方向転換を可能としたことを特徴とする請求項１に記載の屋外設置ハウス用フレーム。
【請求項３】
請求項１又は２に記載の屋外設置ハウス用フレームを備えることを特徴とする屋外設置ハウス。
【手続補正２】
【補正対象書類名】明細書
【補正対象項目名】０００６
【補正方法】変更
【補正の内容】
【０００６】
本考案の屋外設置ハウス用フレームは、タイヤアッセンブリの車軸を、フレーム本体に左右方向にのびるように固定されているパイプに装着することで前進後進を可能としたことを特徴とする。
また、フレーム本体の前部又は後部に固定されているパイプに方向転換用工具を装着し、前部又は後部を地面から浮かせることで左右への方向転換を可能としたことを特徴とする。
本考案の屋外設置ハウスは、上記屋外設置ハウス用フレームを備えることを特徴とする。
(57)【要約】      （修正有）【課題】吸水性の消臭シートを活用して使い捨てのトイレ床マットを使用することによりトイレの床を清潔にまた掃除を簡単にし消臭する吸水性マットを提供する。【解決手段】トイレの床に滑りとめを兼ねた布台紙にミシン目３の入った吸水性で水分を含むと色の変わるシートを複数重ねて取り付け、便器から飛び跳ねた尿飛沫を吸水させ、汚れた部分はミシン目３から切り離してその都度捨てることで、トイレ掃除の簡素化と消臭と清潔さを保てて介護などの負担を軽減に役に立つ吸水性マット２。布台紙部分に香りや消臭剤を染みこませて、防臭効果を持たせる。【選択図】図２
0003197196.tif 000002
【実用新案登録請求の範囲】
【請求項１】
トイレ床マットに吸水性シートを使用すること。
【請求項２】
吸水性シートに水分で色が変わるものを使用すること。
【請求項３】
吸水性シートにミシン目を入れること。
【請求項４】
給水性シートのミシン目による切り分けの大きさを同じにすること。
【請求項５】
マット台紙や吸水性シートに香りや消臭効果をつけること。
【請求項６】
補充用として吸水性シートのみを色や模様及び香りを替えて使用すること。
【考案の詳細な説明】
【技術分類】
【０００１】本考案は吸水性シートを活用した、使い捨て方式のトイレ床マットに関するものである
【背景技術】
【０００２】トイレにおける尿飛沫は臭いの原因で、洗浄液で床を拭くか、トイレ床マットを敷いて定期的に洗濯するなどの手間と時間をかけている。
また、防臭は消臭剤か香り剤を別にトイレ室内に置く必要がある。
【先行技術文献】
【０００３】
【考案の概要】
【考案が解決しようとする課題】
【０００４】洗浄液での掃除は労働的に負担がある、マットの洗濯は手間と時間のかかる仕事であり洗濯後も乾燥は天候に左右され時間がかかる。
特に老人介護の場合はトイレの床を汚す事が多く、臭いもして介護人にその負担は大きい。また防臭は、香り剤や消臭剤を別置きする必要がある。
【課題を解決するための手段】
【０００５】本考案はトイレ床マットをミシン目入りで吸水性が有り水分で色が変わるシートを使用し複数枚重ねる構造にすることにより、汚れた部分のみを剥がして捨てることができトイレ床への尿飛沫の素早い処理と掃除の負担が軽減でき問題を解決できる。
マットの台紙部分に、香りや消臭剤を浸み込ませて防臭する。
【考案の効果】
【０００６】上述の様に、本考案の使い捨て方式トイレ床マットは従来の床マット同様に色や模様でトイレを明るくし、吸水性シートを複層にしてにミシン目を入れたので汚れをすばやく処理でき掃除の負担軽減に役立ちます。また香り、消臭機能を付ける事により臭いも防止できる。また、給水性シートのミシン目で５分割にすることにより汚れの頻度の多い部分に頻度の少ない部分のシートを移動して補充が可能になる。
【図面の簡単な説明】
【０００７】
【図１】は使い捨て方式掃除かんたん消臭マットをトイレ床に使用した時の外観図である。
【図２】は使い捨て方式かんたん消臭マットの形態図である。
【図３】は使い捨て方式かんたん消臭マットの給水性シートの形態図である。
【考案を実施するための形態】
【０００８】用足しの後で尿の飛沫した部分のみのシートをミシン目に沿って切り取り破棄する事により床面掃除の労働負担減少と、汚れや臭い、消臭の素早い処理をする。
【実施例】
【０００９】添付の図面を参考に説明します。
▲１▼は従来の便器です。▲２▼は使い捨て方式掃除かんたん消臭マットで
▲３▼の切り取りミシン目入っています。
図１のようにトイレ床面に使い捨て方式掃除かんたん消臭マットを敷き使用します。
用足し後尿飛沫で汚れた部分のシートのみをミシン目に沿って剥して破棄することでトイレの床掃除の負担軽減と素早い処理で臭いの防止になる。【００１０】図２のようにミシン目で相似形に切れのようにしてあり、図３▲４▼のように複数枚重ねてあるため汚れの頻度の多い部分が無くなれば他の部分で補充できる。
【利用の可能性】
【００１１】現在、介護の必要な高齢者が増える中で介護をする人の負担が増えている。
また、老人の一人住まいや家庭内介護では老人が老人を介護する老老介護が増えている。重労働のトイレ掃除の負担を軽くすることになる使い捨て方式掃除かんたん消臭マットは、役に立ち需要があると思う。
また、消臭剤の別置きが不要で、給水性シートのミシン目で５分割で相似形にすることにより汚れの頻度が多い部分に汚れの頻度が少ない部分で補充が可能になり経済的である。
【符号の説明】
【００１２】▲１▼  一般的なトイレ洋式便器
▲２▼  使い捨て掃除かんたん消臭マット
▲３▼  給水性消臭シートのミシン目
▲４▼  給水性シートが複数枚重ねてある
【図１】
0003197196.tif 000003
【図２】
0003197196.tif 000004
【図３】
0003197196.tif 000005
【手続補正書】
【提出日】平成27年2月6日(2015.2.6)
【手続補正１】
【補正対象書類名】実用新案登録請求の範囲
【補正対象項目名】全文
【補正方法】変更
【補正の内容】
【実用新案登録請求の範囲】
【請求項１】
複数層の吸水シートを重ねた構造の吸水性マットである。
【請求項２】
吸水シートの裏面にはがせる接着剤を塗布した構造を特徴とする請求項１の吸水マットである。
【請求項３】
吸水シートはミシン目で切り分け可能な構造を特徴とする請求項１の吸水マットである。
【請求項４】
削除
【請求項５】
削除
【請求項６】
削除
(57)【要約】      （修正有）【課題】旅行等で長時間移動する際に、コンセントによる充電を必要とせず、緊急時（ケータイや電子機器の充電切れ）に備えた簡易充電ができる装置を提供する。【解決手段】回転するスーツケースの本体に取り付けたスプロケット（又は、プーリ）５とチェーン（又は、ベルト）４を用いて、持ち手１に取り付けてある発電機２に回転を伝えて発電することで、旅行等でスーツケースを移動させながらの充電が可能となる。【選択図】図１
0003197189.tif 000002
【実用新案登録請求の範囲】
【請求項１】
旅行等でスーツケースを移動させる際、本体の回転を持ち手に取り付けられた発電機に伝えることで、ケータイをはじめとした電子機器の簡易充電を可能とした充電装置。
【考案の詳細な説明】
【技術分野】
【０００１】  本考案は旅行等での移動の際に、スーツケース等に取り付けられる充電装置に関するものである。
【背景技術】
【０００２】  従来からのスーツケースにはケータイをはじめとした電子機器等（蓄電池等）の充電装置は備えていないのが一般的であり、充電が必要な場合にはコンセントを利用することが多い。移動中であれば使い切りタイプやコンセント等で繰り返し充電して利用できる充電装置が利用されているが、移動時間が長い場合には更なる充電切れも心配された。
【考案の概要】
【考案が解決しようとする課題】
【０００３】  本考案の充電装置の課題は、旅行等で長時間移動する際に、コンセントによる充電を必要とせず、スーツケースの回転を利用することによって、緊急時（ケータイをはじめとした電子機器の充電切れ）に備えた簡易充電ができる装置を提供することにある。
【課題を解決するための手段】
【０００４】構造上
本考案は上記の課題を解決する為に、回転するスーツケースの本体に取り付けたスプロケットとチェーン（または、プーリとベルト等）を用いて、持ち手に取り付けてある発電機に回転を伝えることで、旅行等でスーツケースを移動させながら充電できることを特徴とする。
【考案の効果】
【０００５】  本考案の充電装置はスーツケース本体に取り付けたスプロケット（又は、プーリ等）の回転を持ち手に取り付けた発電機にチェーン（又はベルト等）を介して伝えることで、旅行等での長時間の移動の際に起こりうる緊急時（ケータイをはじめとした電子機器の充電切れ）に対応できる。
【図面の簡単な説明】
【０００６】
【図１】充電装置が取り付けてあるスーツケースの正面図
【図２】充電装置が取り付けてあるスーツケースの右側面図
【図３】充電装置が取り付けてあるスーツケースの左側面図
【図４】充電装置が取り付けてあるスーツケースの平面図
【図５】充電装置が取り付けてあるスーツケースの底面図
【図６】充電装置が取り付けてあるスーツケースの断面図
【考案を実施するための形態】
【０００７】  図１に示すように、スーツケース本体に取り付けたスプロケット（又は、プーリ等）５と持ち手１に設置した発電機（ギヤボックス）２のシャフトに取り付けたスプロケット（又は、プーリ等）３をチェーン（又は、ベルト等）で接続することで、スーツケースの回転を発電機２に伝えることができ、ケータイをはじめとした電子機器（充電器）の充電を可能にすることができる。
【符号の説明】
【００８】１  持ち手
２  発電機（ギヤボックス）
３  スプロケット（又は、プーリ等）
４  チェーン（又は、ベルト等）
５  スプロケット（又は、プーリ等）
【図１】
0003197189.tif 000003
【図２】
0003197189.tif 000004
【図３】
0003197189.tif 000005
【図４】
0003197189.tif 000006
【図５】
0003197189.tif 000007
【手続補正書】
【提出日】平成26年9月10日(2014.9.10)
【手続補正１】
【補正対象書類名】明細書
【補正対象項目名】０００６
【補正方法】変更
【補正の内容】
【０００６】
【図１】充電装置が取り付けてあるスーツケースの正面図
【図２】充電装置が取り付けてあるスーツケースの右側面図
【図３】充電装置が取り付けてあるスーツケースの左側面図
【図４】充電装置が取り付けてあるスーツケースの平面図
【図５】充電装置が取り付けてあるスーツケースの底面図
【手続補正２】
【補正対象書類名】図面
【補正対象項目名】全図
【補正方法】変更
【補正の内容】
【図１】
0003197189.tif 000008
【図２】
0003197189.tif 000009
【図３】
0003197189.tif 000010
【図４】
0003197189.tif 000011
【図５】
0003197189.tif 000012
(57)【要約】      （修正有）【課題】スーパーマーケット等において買い物をした際、両手いっぱいになった買い物袋やバックを肩から複数下げることができるショルダーベルト機能を併せ持つバックチャームを提供する。【解決手段】ベルト２の両端部にフック３を備えるとともに、両端部近傍にはベルトをループ状にするための留め部を有することを特徴とする。【選択図】図１
0003197148.tif 000002
【実用新案登録請求の範囲】
【請求項１】
ベルトの両端部にフックを備えるとともに、両端部近傍にはベルトをループ状にするための留め部を有することを特徴とするバッグチャーム。
【請求項２】
前記フックは袋の提げ手を引っ掛けるものであり、外形及び断面が曲線形状で形成され、袋の提げ手を通すための開口部と、該開口部より広いスペースを有する袋の提げ手を保持するための保持部とからなることを特徴とする請求項１に記載のバッグチャーム。
【考案の詳細な説明】
【技術分野】
【０００１】
本考案は、スーパーマーケット等において買い物をした際、両手いっぱいになった買い物袋やエコバックを肩から複数下げることができるショルダーベルト機能を併せ持つバックチャームに関する。
【背景技術】
【０００２】
図４は一般の買い物袋用ショルダーベルトの使用例を示す図である。図４において、このようなショルダーベルトは、ベルトの両端部にフックを有し、そのフックに買い物袋等の取っ手部分を引っかけた後、ベルトの中央部を肩に掛けて使用するものである。
【先行技術文献】
【特許文献】
【０００３】
【特許文献１】特開平１０−１７４６１１
【特許文献２】実用新案登録第３１０８９７４号
【考案の概要】
【考案が解決しようとする課題】
【０００４】
買い物袋等を下げるための従来のショルダーベルトは、その目的にのみ使用するように、ある程度の長さを有するベルトであるため、外出時に携帯する煩わしさを伴うことがあった。また、携帯していても、カバン等の中に入れているため、必要な時にすぐに取り出せない場合があった。
【課題を解決するための手段】
【０００５】
上記課題を解決するために、本考案のバッグチャームは、ベルトの両端部にフックを備えるとともに、両端部近傍にはベルトをループ状にするための留め部を有することを特徴とする。
【０００６】
さらに本考案のバッグチャームは、前記フックは袋の提げ手を引っ掛けるものであり、外形が曲線形状で形成され、袋の提げ手を通すための開口部と、該開口部より広いスペースを有する袋の提げ手を保持するための保持部とからなることを特徴とする。
【考案の効果】
【０００７】
上記手段によれば、本考案のバッグチャームは、フックに買い物袋等の提げ手を引っ掛けてショルダーベルトとして使用することはもとより、バッグチャーム携帯時には、留め部を利用してバッグの持ち手にループ状に取り付けてバッグが不要に開くのを防止したり、また単なるチャームとしての使用も可能である。
【０００８】
さらに、上記フックは外形及び断面が曲線形状であるため、袋の提げ手の挿抜を誘導する開口部は提げ手を入れやすいような形状になっており、提げ手を保持する保持部は開口部より広いスペースであるため、複数の袋の提げ手を保持することができる。また、フック全体が曲線的で突起がないため、バッグを傷つけたり衣服にひっかけて痛めることもない。
【図面の簡単な説明】
【０００９】
【図１】本考案のバッグチャームの平面図である。
【図２】本考案のバッグチャーム携帯時の使用状態を示す図である。
【図３】本考案のバッグチャームのフックを示す図であり、（ａ）はその平面図、（ｂ）はそのＡ−Ａ断面図である。
【図４】一般の買い物袋用ショルダーベルトの使用例を示す図である。
【考案を実施するための形態】
【００１０】
本考案のバッグチャームは、通常はバッグの口が開くのを防いだり、おしゃれなバッグのチャームとしてバッグの持ち手に付けて携帯でき、買い物をした際にはバックから簡単に取り外し、先端のフックに買い物袋を掛けて肩から下げるショルダーベルトになるチャームである。
【実施例】
【００１１】
本考案の一実施例について図面に基づいて詳細に説明する。図１は本考案のバッグチャームの平面図を示したものであり、図２はバッグチャーム携帯時の使用状態を示す図である。図１において、バッグチャーム１は、革製のベルト２の両端部に、買い物袋等の提げ手を引っ掛けて保持するための樹脂製のフック３が金属製のフック取付具４を介して取り付けられている。また、ベルト２の両端部近傍には、一対のホック５が設けられ、このホック５を留めることにより、ベルト２をループ状にして、図２に示すようにバッグ６の持ち手７を結束してバッグ６の口が不用意に開くことを防止するためのバンドとして利用することができる。なお、ベルト２は外観的におしゃれな布製ベルト等にすることにより、通常のバックチャームとしても使用できる。
【００１２】
図３は本考案のバッグチャームのフックを示す図であり、（ａ）はその平面図、（ｂ）はそのＡ−Ａ断面図である。図３において、フック３は加工が容易な樹脂製であり、外形及び断面が曲線形状で形成され、袋の提げ手を通すための開口部７と、この開口部７より広いスペースを有する袋の提げ手を保持するための保持部８とからなる。このフック３の製作は、2ミリ厚のアクリル板を所望の形にカットした後、加熱による曲げ加工で所望のカーブを付けている。よって、フック３の材質及び形状により、フック３はある程度の弾性を有するため、多少幅や厚みのある提げ手でも開口部を通過させることができ、フック３の形状もすぐに復元する。
【００１３】
上記した本考案のバッグチャームによれば、通常はバッグの持ち手等に付けて携帯できるため、使用する度にバッグの中を探したり、使用後にどこかに置き忘れたりすることがなく、外出時には常に携行することができる。また、フック自体が軽く曲線的で突起がないため、バッグを傷つけたり、衣服に引っ掛かって衣服を痛めることもない。さらに、フックの弾性により開口部からの袋の提げ手の挿抜を容易に行えるため、子供から高齢者まで安心して使用することができる。
【産業上の利用可能性】
【００１４】
本考案のバッグチャームは、ループ状にして携行できるので、バッグに付けての携帯に限らず、衣服のベルトに付けたり、ベビーカー、シルバーカー、車椅子、自転車、ゴルフカート等にも付けることができる。
【符号の説明】
【００１５】
１  バッグチャーム
２  ベルト
３  フック
４  フック取付具
５  ホック
６  バッグ
７  開口部
８  保持部
【図１】
0003197148.tif 000003
【図２】
0003197148.tif 000004
【図３】
0003197148.tif 000005
【図４】
0003197148.tif 000006
(57)【要約】      （修正有）【課題】逸失を防止し、結束、取外しがワンタッチで出来る、生け花や、小物、コード類のストラップ兼、結束バンドを提供する。【解決手段】パイプの両端を台形に切断した形のタブやコーン型、鈴型、球型、ボタン型、ハート型の、平面や立体形状のタブ２を、伸縮性を備えた、２本のひも又は、ゴムバンド１の両端に取り付け、その間に、結束対象物に取付けるためのビーズ状、又は、クリップ状の可動タブ５を備える。【選択図】図６
0003197110.tif 000002
【実用新案登録請求の範囲】
【請求項１】
パイプの両端を台形に切断した形状からなるタブ（コーン型、鈴型、球型、ボタン型等でも良い）を、伸縮性を備えた、２本のひも又は、２本のひも状に伸ばしたリングの両端に取り付け、その間に結束対象物に、取付けるための、可動タブ（ビーズ状、又は、クリップ状の物でも良い）を備えることも、特徴とする小物や、コード類のストラップ兼、結束バンド。
【考案の詳細な説明】
【技術分野】
【０００１】この、実用新案は、タブ付ゴムバンドの間に、飛散防止用のタブを取り付けたものである。
【背景技術】
【０００２】従来、結束対象物とゴムバンドは、別々の物であった。
【先行技術文献】
【特許文献】
【特許文献１】
【特許文献２】
【考案の概要】
【考案が解決しようとする課題】
【０００３】コード等を使用するたびにゴムバンドを外し、結束するたびにゴムバンドを探して使用していた。取外しの時に、ゴムバンドが飛散したり、目立たない為になくしてしまう事が多かった。
また、ワンタッチで、取付、取外しが、出来なっかった。
本考案は、以上のような欠点をなくす為になされたものである。
【課題を解決するための手段】
【０００４】２本のゴムひも又は、ゴムバンド（１）の両端に、（２），（３），（４）のようなタブを設け、あいだにゴムバンド飛散防止用の（５），（６）のようなタブを設ける。
本考案は、以上のような構成よりなる飛散防止タブ付ゴムバンドである。
【考案の効果】
【０００５】必要なとき、取り出したり、探す手間が省け、不要な時には、片付ける必要も、なくす事もなくなる。また、タブにイラストや、社名などを入れると、販促効果絶大なノベルティ商品になる。
【考案を実施するための形態】
【０００６】ゴムバンド飛散防止用の（５），（６）のようなタブに、２本のゴムひもゴム又は、バンド（１）を通し、両端に、（２），（３），（４）のようなタブを取付ける
【図面の簡単な説明】
【０００７】
【図１】  本考案の実施例である。
【図２】  本考案の実施例である。
【図３】  本考案の分解図である。
【図４】  本考案の実施例のバリエーションの写真である。
【図５】  本考案の実施例の写真である。
【図６】  本考案の実施、使用例の写真である。
【符号の説明】
【０００８】１  ‥‥‥‥‥‥  ２本のゴムひも、又は、ゴムバンド
２  ‥‥‥‥‥‥  固定端のタブとワンタッチ取付け、取外し用のタブ（台形型）
３  ‥‥‥‥‥‥  固定端のタブとワンタッチ取付け、取外し用のタブ（コーン型）
４  ‥‥‥‥‥‥  固定端のタブとワンタッチ取付け、取外し用のタブ（鈴、球型、円盤型）
５  ‥‥‥‥‥‥  飛散防止用のタブ（ツマミ付パイプ型）
６  ‥‥‥‥‥‥  飛散防止用のタブ（ビーズ型）
【図１】
0003197110.tif 000003
【図２】
0003197110.tif 000004
【図３】
0003197110.tif 000005
【図４】
0003197110.tif 000006
【図５】
0003197110.tif 000007
【図６】
0003197110.tif 000008
【手続補正書】
【提出日】平成27年1月26日(2015.1.26)
【手続補正１】
【補正対象書類名】実用新案登録請求の範囲
【補正対象項目名】全文
【補正方法】変更
【補正の内容】
【実用新案登録請求の範囲】
【請求項１】
パイプの両端を台形に切断した形のタブやコーン型、鈴型、球型、ボタン型、ハート型で、結束しやすく、外れにくい、かつ取外時においては、引っ掛からず、結束解除がスムーズ、容易にできる平面や立体型の形状のタブを、伸縮性を備えた、２本のひも又は、２本のひも状に伸ばしたリングの両端に取り付け、その間に結束対象物に、取付けるための、ビーズ状、又は、クリップ状の可動タブを備えることも、特徴とする生け花や、小物、コード類のストラップ兼、結束バンド。
(57)【要約】      （修正有）【課題】皮革の質感を維持したまま自由な形状を形成並びに保持することが可能な可変型多目的用途向け皮革製品を提供する。【解決手段】１枚の板状の皮革３内部に、任意の形状に変形可能かつそれを保持し続けることができるよう特殊な加工を加えた圧延板４を一般的な第２種接着剤で接着して内蔵することにより、皮革３の質感を維持したまま、１つで多目的用途である、形状自由度が高く任意の大きさや深さにできる、可搬性の高い皮革製品を実現する。【選択図】図１
0003197109.tif 000002
【実用新案登録請求の範囲】
【請求項１】
皮革と、皮革の持つ平面復元力に依存しないだけの十分な折曲強度を持ちつつも摺動屈曲特性の高い特性を持った鉛等の金属とを圧着及び接着することによって、皮革の質感を維持したままある程度自由な形状を形成並びに保持することを可能にした多目的用途における皮革製品
【考案の詳細な説明】
【技術分野】
【０００１】  本考案は、皮革と金属とを圧着及び接着した多目的用途における皮革製品に関するものである。
【背景技術】
【０００２】  従来の日常的な各種皮革製品は、個々が個別の形状をしており、それぞれに特定の役割が割り当てられている。【０００３】  例えば、四隅に傾斜角度をつけたトレーや、内部に金属芯材を挿入し重量を増すことによって成り立つペーパーウェイトやペンスタンド等が存在しているが、それらは決められた一つの形状を持っており、任意の形状や大きさ等に変形させることは難しい。また、変形させたとすると、その本来の目的や用途からは外れ、機能しなくなるものである。【０００４】  このように、従来の日常的な各種皮革製品は、特定用途に限られている、形状自由度が乏しく任意の大きさや深さ等にできない、可搬性に乏しいという欠点があった。
【考案の概要】
【考案が解決しようとする課題】
【０００５】  本考案は、皮革の質感を維持したまま自由な形状を形成並びに保持することを可能にし、１つの製品で多目的な用途要求に対しての利用を実現し、以上のような従来の欠点を解決しようとするものである。【０００６】  そのために、製造過程において、金属と皮革を接着によって組み合わせる場合に困難な、曲げ伸ばしができること、成型後の形状を保持できること、接着が剥がれないことを実現している。
【課題を解決するための手段】
【０００７】  一般的な第２種接着剤を用い、１枚の板状の皮革内部に任意の形状に変形可能かつそれを保持し続けることができるよう特殊な加工を加えた圧延板を内蔵することにより課題を解決する。【０００８】  具体的には、皮革内部に挿入する鉛等の金属は、円錐状の先端を持ったハンマーによって丹念に圧延する。これにより、通常のローラー圧延で生まれた金属表面の平面性とは異なったクレーター状の凸凹面が生成され、多方向からの曲げ伸ばしに対して伸延面における多様性を持つため少ない力での曲げ伸ばしが可能となる。【０００９】  一方、皮革側はその接着面を摩擦によって十分に毛羽立たせる。これを上記のクレーター状の凸凹面を持った金属の接着面に対し第２種接着剤で接着する。【００１０】  この手法により接着強度は飛躍的に向上する。このことは、下記の数式１及び数式２によって示される。【００１１】
【数１】
0003197109.tif 000003
【００１２】  上記の数式１において、Ｓは個々のはく離接着強度（ｋＮ／ｍ）、Ｐ１ははく離加重の最大値（Ｎ）、Ｂは接着面積（ｍｍ）であり、はく離接着強度は接着面積が大きい方が有利となるものである。【００１３】
【数２】
0003197109.tif 000004
【００１４】  上記の数式２において、Ｓは円錐台の表面積、αは同上面の半径、βは同底面の半径、ｌは同母線の長さであり、前述のごとく金属の圧延された部分は逆円錐台の形状となるため、接着面の表面積は、平面の場合の（その逆円錐台の）上面積πβ２に対し、底面積πα２と側面積πｌ（α＋β）の合計となり接着面が広くなるだけでなく、接着面の方向性に関しても平面の場合の一方向から、事実上１８０度に近い方向性を持った接着面が生成され、多方向の曲げによるはく離に対して優位性が確保できるものである。
【考案の効果】
【００１５】  上述のような製造過程を経て、本考案は、皮革の質感を維持したままで、従来ではなし得なかった多目的用途である、形状自由度が高く任意の大きさや深さにできる、可搬性の高い皮革製品を実現するものである。
【図面の簡単な説明】
【００１６】
【図１】本考案の皮革製品の平面図及び断面図である。
【図２】本考案の実施例である。
【考案を実施するための形態】
【００１７】  上述のように製造された本考案の皮革製品は、人間の手により軽い力で誰でも簡単に任意の形状に変形でき、それぞれの用途にあわせ利用することができる。
【実施例】
【００１８】  以下、添付図面に従って実施例を説明する。図２の３〜７はいずれも本考案である図１の１の１枚の板状の皮革製品を人間の手の力で変形して成形したものであり、各用途で利用している実例である。具体的には、３は鍵や印鑑といった小物類を置くトレーとして、４は眼鏡ケースとして、５は携帯電話やスマートフォンのスタンドとして、６はペンスタンドとして、７はメモや書類スタンドとして利用している。
【産業上の利用可能性】
【００１９】  本考案は、皮革製品を製造する産業で利用されるが、将来的には応用されて衣料品産業においても利用される可能性がある。
【符号の説明】
【００２０】１  製品の平面図
２  製品の断面図
３  皮革
４  鉛等の金属
５  小物トレー
６  眼鏡ケース
７  スマートフォンスタンド
８  ペンスタンド
９  メモスタンド
【図１】
0003197109.tif 000005
【図２】
0003197109.tif 000006
0003197109.tif 000007
【手続補正書】
【提出日】平成27年2月3日(2015.2.3)
【手続補正１】
【補正対象書類名】実用新案登録請求の範囲
【補正対象項目名】全文
【補正方法】変更
【補正の内容】
【実用新案登録請求の範囲】
【請求項１】
接着面を摩擦により十分に毛羽立たせた皮革の内部に、円錐状の先端を持ったハンマーで丹念に圧延し接着面にクレーター状の凸凹面を生成させた鉛等の金属を圧着及び接着して挿入することによって、皮革の質感を維持したままある程度自由な形状を形成並びに保持することを可能にした多目的用途における皮革製品
【手続補正２】
【補正対象書類名】図面
【補正対象項目名】全図
【補正方法】変更
【補正の内容】
【図１】
0003197109.tif 000008
【図２】
0003197109.tif 000009
(57)【要約】      （修正有）【課題】磁石の力を借りる事で、小さな力で確実に毛や魚の骨を抜くことが出来る挟み具を提供する。【解決手段】ハンドル部４の先端寄り内側に磁石２を取り付け、対向する内側に磁石または、鉄３等の磁石に付く金属を取り付ける。ハンドル部４に少し力を加える事で、先端つまみ部１が、磁石の作用を受けて付く。【選択図】図１
0003197107.tif 000002
【実用新案登録請求の範囲】
【請求項１】
ハンドル部の先端寄り内側に磁石と対向する内側に磁石または、鉄（磁石に付く金属）取り付けた構造の毛抜きにおいて、
前記ハンドル部に少し力を加える事で、先端つまみ部が、磁石の作用を受けて付く、ことを特徴とする毛抜き、骨抜き。
【考案の詳細な説明】
【技術分野】
【０００１】
本考案は、毛抜きの使い勝手を良くする為に、磁石のエネルギーを補助力とした毛抜きである。
【特許文献１】特開平０９−２７６０３５
【考案の概要】
【０００２】
本考案は、磁石の鉄を吸引する性質を利用した、毛抜きに関するものでる。
【考案が解決しようとする課題】
【０００３】
従来の毛抜き等は毛を挟む力が弱いと毛が滑って、抜けない事があった。従来の骨抜きを使って大量の魚を処理すると、指が痛くなり大変疲れる。また、毛抜きもエステサロン等で長時間使用すると、指が痛くなり大変疲れる。
【課題を解決するための手段】
【０００４】
本考案は、ハンドル部分の先端寄りの内側に磁石を取り付ける。磁力調整は、ハンドル部に少し力を加えると、先端つまみ部がくっ付きハンドル部を離すと先端つまみ部が離れるように、磁石の位置を調節する。
【考案の効果】
【０００５】
本考案の毛抜きは、磁石の力を借りる事で、小さな力で確実に毛や魚の骨を抜くことが出来る。長時間の使用にも、指が疲れない効果が得られた。
【図面の簡単な説明】
【０００６】
【図１】本考案のハンドル部開放状態を示した斜視図である。
【図２】本考案のハンドル部開放状態を示した側面図である。
【図３】本考案のハンドル部閉鎖状態を示した側面図である。
【符号の説明】
【０００７】
１  先端つまみ部
２  磁石
３  鉄または、磁石
４  ハンドル部
【図１】
0003197107.tif 000003
【図２】
0003197107.tif 000004
【図３】
0003197107.tif 000005
【手続補正書】
【提出日】平成26年12月15日(2014.12.15)
【手続補正１】
【補正対象書類名】実用新案登録請求の範囲
【補正対象項目名】請求項１
【補正方法】変更
【補正の内容】
【請求項１】
ハンドル部の先端寄り内側に磁石と対向する内側に磁石または、鉄（磁石に付く金属）取り付けた構造の毛抜きにおいて、前記ハンドル部に少し力を加える事で、先端つまみ部が、磁石の作用を受けて付く、先端つまみ部自体が磁化されて付く、ことを特徴とする毛抜き、骨抜き。
【手続補正書】
【提出日】平成27年2月12日(2015.2.12)
【手続補正１】
【補正対象書類名】実用新案登録請求の範囲
【補正対象項目名】全文
【補正方法】変更
【補正の内容】
【実用新案登録請求の範囲】
【請求項１】
ハンドル部の先端寄り内側に磁石と対向する内側に磁石または、鉄等の磁石に
付く金属を取り付けた構造の挟み具において、
前記ハンドル部に少し力を加える事で、先端つまみ部が、磁石の作用を受けて
付く、ことを特徴とする挟み具。
(57)【要約】      （修正有）【課題】アームレストが非装備であった多くの種類の車両に対して、座席形状に影響されることなく新たにアームレストを装備できる取付機構を提供する。【解決手段】自動車、農作業用車両、トラックなどの商業用車及びブルドーザー等の建設土木機械車両に使用されている座席の内、アームレストが装備されていない座席ＡとレールＣとの間に、各座席の形状に適合して複数の取付け穴を設けて汎用化が図られたブラケットＤを取り付け、それを介してアームレストＥを装備する。【選択図】図２
0003197103.tif 000002
【実用新案登録請求の範囲】
【請求項１】
自動車、農作業用車両、トラックなどの商業用車両及びブルドーザー等の建設土木機械車両に使用されている座席の内、アームレストが装備されていないものにアームレストを提供する為の取付機構とアームレスト本体。
【考案の詳細な説明】
【技術分野】
【０００１】本考案は一般乗用車、農作業用車両、商業用車両及び建設土木機械車両に使用されている座席に関する。
【背景技術】
【０００２】従来、当該車両に於いて、座席の両側あるいは片側に肘の部分を支え、腕を休める為の肘かけ，ここで云うアームレストが装備されていない場合があった。
【考案の開示】
【考案が解決しようとする課題】
【０００３】そのため、特に農作業用車両、商業用車両及び建設土木機械車両等、当該車両を運転操作するにあたり、強度の肉体的疲労を伴うものにあっては運転者の疲労を増加させる結果となり、操作ミス、運転ミスにつながる危険性もあった。それらの危険性を回避するためにアームレストの装備が望まれていたが、車両の製造メーカーが異なると座席形状も異なるために専用の部品に頼らざるを得ず、それぞれの車両製造メーカーから専用品が提供されない座席も多いため、取付が不可能な車両も多くあった。
【課題を解決するための手段】
【０００４】上記課題を解決するための手段として、座席形状に影響されない車両本体の座席取付部に取付けが可能な、汎用のアームレストを提供するものである。
【考案を実施するための形態】
【０００５】図−１は本考案の実施前の概略図であるが、座面▲Ａ▼下部と車両との間にレール▲Ｃ▼が取り付けられており、レール▲Ｃ▼は座席を車両に取り付けるための中間部品としての役目と座席を前後に移動する為の機能を担っている。
当該レール▲Ｃ▼を座面▲Ａ▼に取付けるための座面▲Ａ▼下部の取付け位置、形状、寸法等は各車両製造メーカー共に似通った形状、寸法となっている。
【０００６】図−２は本考案実施後の概略図である。座面▲Ａ▼部とレール▲Ｃ▼部の間にブラケット▲Ｄ▼が取り付けられ、尚且つブラケット▲Ｄ▼にアームレスト▲Ｅ▼が取り付けられて本考案を完成せしめる。座面▲Ａ▼部とレール▲Ｃ▼部の間にブラケット▲Ｄ▼が取り付けられることにより、シート座面▲Ａ▼が前後に移動調整された場合にもアームレストアセンブリー▲Ｄ▼及び▲Ｅ▼は同時に前後に移動することとなる。
ブラケット▲Ｄ▼は，各車両製造メーカーの座面▲Ａ▼下部の取付け位置、形状に適合するよう、複数の取付け穴が設けられている
【考案の効果】
【０００７】車両運転時の疲労を低減せしめ、特に農作業用車両や建設土木機械車両に於いては操縦桿の微妙かつ繊細な操作を行う為に、腕の支えとなるアームレストが非常に大きな役割を担う。
【０００８】従来のアームレスト非装備車両に本考案の取付機構を利用したアームレストを装備する事により、車両運転者の疲労を低減せしめることはもとより、作業用車両に於いては安全性を高めた繊細な操作が可能となる。
【図面の簡単な説明】
【０００９】
【図１】は、本考案実施前の概略図であるが、アームレストが取り付けられていない状態の座席を表す。
【図２】は、本考案実施後の概略図であり、アームレストが取り付けられる状態を示す。
【符号の説明】
【００１０】［図１］の▲Ａ▼・・・・・本出願の対象となる座席の座面を示す。
［図１］の▲Ｂ▼・・・・・本出願の対象となる座席の背面を示す。
［図１］の▲Ｃ▼・・・・・本出願の対象となる座席を車両本体に取り付けるためのレールを示す。
［図２］の▲Ｄ▼・・・・・本出願のアームレスト取付用のブラケットを示す。
［図２］の▲Ｅ▼・・・・・本出願のアームレスト本体を示す。
【図１】
0003197103.tif 000003
【図２】
0003197103.tif 000004
【手続補正書】
【提出日】平成27年1月9日(2015.1.9)
【手続補正１】
【補正対象書類名】実用新案登録請求の範囲
【補正対象項目名】全文
【補正方法】変更
【補正の内容】
【実用新案登録請求の範囲】
【請求項１】
自動車、農作業用車両、トラックなどの商業用車及びブルドーザー等の建設土木機械車両に使用されている座席の内、アームレストが装備されていない座席とレールとの間に、汎用化が図られたブラケットを取り付け、それを介しアームレストを装備する機構。
【手続補正３】
【補正対象書類名】明細書
【補正対象項目名】０００３
【補正方法】変更
【補正の内容】
【０００３】そのため、特に農作業用車両、商業車両及び建設土木機械車両等、当該車両を運転操作するにあたり、強度の肉体的疲労を伴うものにあっては運転者の疲労を増加させる結果となり、操作ミス、運転ミスにつながる危険性もあった。
それらの危険性を回避するためにアームレストの装備が望まれていたが、車両の製造メーカーが異なると座席形状や車両側の取付部形状、寸法も異なるために専用の部品に頼らざるを得ず、それぞれの車両メーカーから専用品が提供されない座席も多いため、アームレストの取付が不可能な車両も多くあった。
【手続補正４】
【補正対象書類名】明細書
【補正対象項目名】０００４
【補正方法】変更
【補正の内容】
【０００４】上記課題を解決するための手段として、座席とレールとの間に汎用化が図られたブラケットを取り付け、アームレストを提供するものである。